(57)【要約】【課題】  物理層回路やＭＡＣ回路とは独立して集積化され、物理層回路とのインタフェース周波数が少なくとも１０ＭＨｚ程度の幅を持つ無線送受信用の開発用ＲＦ集積回路に関する。【解決手段】  復調回路と、変調回路と、アンテナを復調回路１１と変調回路１２の何れかに切り替えるスイッチ回路とを内蔵した開発用のＲＦ集積回路１であって、ＲＦ集積回路１は、物理層回路２１やＭＡＣ回路２２とは独立して集積化され、かつ、復調回路１１は、受信した無線周波数信号を、周波数５〜２０ＭＨｚの周波数信号に変換するとともに、変調回路１２は、周波数５〜２０ＭＨｚの周波数信号を、無線周波数信号に変換する。【選択図】    図１
2012010049.tif 000002
【特許請求の範囲】
【請求項１】
アンテナにより受信した無線周波数帯信号を任意周波数に低下させて他の回路に出力する復調回路と、
前記他の回路から入力した任意周波数の信号を無線周波数に上昇させて前記アンテナに出力する変調回路と、
前記アンテナを、前記復調回路と前記変調回路の何れかに切り替えるスイッチ回路と、
を内蔵した開発用のＲＦ集積回路であって、
ＲＦ集積回路は、前記他の回路とは独立して集積化され、かつ、
前記復調回路は、受信した無線周波数信号を、周波数５〜２０ＭＨｚの周波数信号に変換するとともに、
前記変調回路は、周波数５〜２０ＭＨｚの周波数信号を、無線周波数信号に変換することを特徴とするＲＦ集積回路。
【請求項２】
前記他の回路が、
前記復調回路との間でＡＤ変換を行い、前記変調回路との間でＤＡ変換を行う物理層回路と、
当該物理層回路に接続されたメディアアクセス制御回路と、
を含むことを特徴とする請求項１に記載のＲＦ集積回路。
【請求項３】
前記復調回路および前記変調回路として機能する復変調回路を内蔵した請求項１に記載のＲＦ集積回路であって、
前記復変調回路が、少なくとも、ローノイズ増幅器と、その後段のイメージ・リジェクション・ミキサと、さらにその後段の電力増幅器とを共通の構成要素として含み、
前記アンテナからの信号を前記復変調回路を介して前記物理層回路に送出する信号路と、前記物理層回路からの信号を前記復変調回路を介して前記アンテナに送出する信号路とを切り替えるスイッチ回路群と、
を備えたことを特徴とするＲＦ集積回路。
【発明の詳細な説明】
【技術分野】
【０００１】
本発明は、開発用ＲＦ集積回路に関し、具体的には、物理層回路やＭＡＣ回路とは独立して集積化された開発に適したＲＦ集積回路に関する。
【背景技術】
【０００２】
わが国（日本国）では、２０１１年７月にアナログテレビ放送は終了し、デジタルテレビ放送に移行する。海外でも、近時、アナログテレビ放送を終了し、デジタルテレビ放送に移行する国が増えている。わが国では、アナログテレビ放送が現在使用している７００ＭＨｚ帯（７１５Ｍ〜７２５ＭＨｚの１０ＭＨｚ程度）は、ＩＴＳ（Ｉｎｔｅｌｌｉｇｅｎｔ  Ｔｒａｎｓｐｏｒｔ  Ｓｙｓｔｅｍｓ）等向けに使用される。ＩＴＳは、車の衝突を未然防止するための車車間通信等に応用される。
【０００３】
また、外出先や移動中も高速インターネットを使用できる高速ワイヤレスインターネットを使用可能とするＷｉＭＡＸ（ＩＥＥＥ  ８０２．１６：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）も普及しつつある。さらには、個人施設内、あるいは公共施設において、無線ＬＡＮが使用できる環境も整いつつある。
【０００４】
図７に示すように、ＩＴＳ，ｉＭＡＸ，無線ＬＡＮ等に使用される通信機器８では、製品組み込み時には、無線復変調回路（ＲＦ回路８１）は、物理層回路（ＰＨＹ層回路）８２およびＭＡＣ回路（メディアアクセス制御回路）８３と一体に集積化されて（すなわち、１チップとして）製造されることが想定される（特許文献１等参照）。
【０００５】
物理層回路８２が扱う周波数（アナログ周波数）は、ＩＴＳでは１０ＭＨｚ，ＷｉＭＡＸでは１０ＭＨｚ，無線ＬＡＮでは５ＭＨｚといったように、開発ごとに異なる場合が多い。このため、図７の構成の通信機器８の開発では、その都度、ＲＦ回路８１を設計し直さなければならない。よって、ＲＦ回路９１は、単独で集積化することは、費用の面から現実的ではない。
【０００６】
そこで、図８に示すように、通信機器９の開発においては、開発過程のＲＦ回路９１は、開発過程の物理層回路９２やＭＡＣ回路９３とは別体の基板に形成される。なお、物理層回路９２およびＭＡＣ回路９３は、ＲＦ回路９１から受け取る信号の周波数に対応できるように構成されており、変更を要しない。よって、物理層回路９２およびＭＡＣ回路９３は、図８に示すように基板構成としてもよいし、集積回路化されている汎用品を用いてもよい。
【先行技術文献】
【特許文献】
【０００７】
【特許文献１】特開２００７−２１５１７４
【発明の概要】
【発明が解決しようとする課題】
【０００８】
しかし、図８に示したＲＦ回路９１は、集積化されていないため、信号線の引き回し等に起因するノイズが発生するなど、開発に不便さが生じることがある。たとえば、基板での開発回路を集積回路に適用するときに、スケールの齟齬が生じることが多いため、集積回路への応用が容易ではなくなる。従来、このような不都合を解消することが課題となっている。
【０００９】
本発明の目的は、物理層回路やＭＡＣ回路とは独立して集積化され、物理層回路とのインタフェース周波数が少なくとも１０ＭＨｚ程度の幅を持つ開発用ＲＦ集積回路を提供することである。
【課題を解決するための手段】
【００１０】
（１）
アンテナにより受信した無線周波数帯信号を任意周波数に低下させて他の回路に出力する復調回路と、
前記他の回路から入力した任意周波数の信号を無線周波数に上昇させて前記アンテナに出力する変調回路と、
前記アンテナを、前記復調回路と前記変調回路の何れかに切り替えるスイッチ回路と、
を内蔵した開発用ＲＦ集積回路であって、
ＲＦ集積回路は、前記他の回路とは独立して集積化され、かつ、
前記復調回路は、受信した無線周波数信号を、周波数５〜２０ＭＨｚの周波数信号に変換するとともに、
前記変調回路は、周波数５〜２０ＭＨｚの周波数信号を、無線周波数信号に変換することを特徴とする開発用ＲＦ集積回路。
【００１１】
（２）
前記他の回路が、
前記復調回路との間でＡＤ変換を行い、前記変調回路との間でＤＡ変換を行う物理層回路と、
当該物理層回路に接続されたメディアアクセス制御回路と、
を含むことを特徴とする（１）に記載の開発用ＲＦ集積回路
【００１２】
（３）
前記復調回路および前記変調回路として機能する復変調回路を内蔵した（１）に記載の開発用ＲＦ集積回路であって、
前記復変調回路が、少なくとも、ローノイズ増幅器と、その後段のイメージ・リジェクション・ミキサと、さらにその後段の電力増幅器とを共通の構成要素として含み、
前記アンテナからの信号を前記復変調回路を介して前記物理層回路に送出する信号路と、前記物理層回路からの信号を前記復変調回路を介して前記アンテナに送出する信号路とを切り替えるスイッチ回路群と、
を備えたことを特徴とする開発用ＲＦ集積回路。
【００１３】
前記イメージ・リジェクション・ミキサは、
局部発振器の発振信号から９０°の位相差を持つ２信号を生成する位相器と、
入力信号を９０°の位相差を持つ２信号に分波する分波器と、
前記分波器により分波された２信号のうち一方と前記第１位相器により生成した２信号のうちの一方とを乗算する第１ミキサと、
前記分波器により分波された２信号のうち他方と前記第１位相器により生成した２信号のうちの他方とを乗算する第２ミキサと、
前記第１ミキサおよび第２ミキサからの各信号を入力し同相のまま加算する合成器と、
から構成できる。
また、前記イメージ・リジェクション・ミキサは、
局部発振器の発振信号から９０°の位相差を持つ２信号を生成する位相器と、
入力信号を同位相で２信号に分波する分波器と、
前記分波器により分波された２信号のうち一方と前記第１位相器により生成した２信号のうちの一方とを乗算する第１ミキサと、
前記分波器により分波された２信号のうち他方と前記第１位相器により生成した２信号のうちの他方とを乗算する第２ミキサと、
前記第１ミキサおよび第２ミキサからの各信号を入力し一方の入力信号を９０°移相して加算する合成器と、
から構成できる。
【発明の効果】
【００１４】
本発明の開発用ＲＦ集積回路では、他の回路とのインタフェース周波数に幅があるので、開発ごとに周波数が異なっていても、その都度ＲＦ回路を設計し直す必要がなくなる。
【００１５】
本発明では、ＲＦ集積回路に、物理層回路からの周波数の信号（たとえば、５ＭＨｚから２０ＭＨｚ）を無線信号（たとえば、７００ＭＨｚ帯）に変換する周波数変換回路、および無線信号（たとえば、７００ＭＨｚ帯）を物理層回路用の信号（たとえば、５ＭＨｚから２０ＭＨｚ）に変換する周波数変換回路をＩＣとして作りこんである。これにより、物理層回路が所定範囲（たとえば、５ＭＨｚから２０ＭＨｚの範囲）で動作する復変調回路であれば、本発明のＲＦ集積回路（同一仕様のＲＦ集積回路）を用いて開発することができる。
【図面の簡単な説明】
【００１６】
【図１】本発明の一実施形態を示す回路図であり、ＲＦ集積回路が物理層回路とＭＡＣ回路と接続された様子を示すブロック図である。
【図２】図１のＲＦ集積回路の復調回路および変調回路を細分して示すブロック図である。
【図３】図１のＲＦ集積回路を具体的に示す図である。
【図４】（Ａ）は図３の復調回路のイメージ・リジェクション・ミキサを示す図、（Ｂ）はは図３の変調回路のイメージ・リジェクション・ミキサを示す図である。
【図５】本発明のＲＦ集積回路において、復調回路と変調回路とを一つの回路で共用する復変調回路を示す原理図である。
【図６】図５のＲＦ集積回路１をより詳細に示す説明図である。
【図７】従来の通信回路を示すブロック図である。
【図８】従来の通信回路の開発用回路を示すブロック図である。
【発明を実施するための形態】
【００１７】
図１および図２は本発明のＲＦ集積回路の実施形態を示す説明図である。図１において、ＲＦ集積回路１は、復調回路１１と、変調回路１２と、スイッチ回路１３とを備えている。ＲＦ集積回路１は、物理層回路２１とＭＡＣ回路２２からなる回路２に接続され、回路２はコンピュータ３に接続されている。
【００１８】
復調回路１１は、アンテナ７により受信した無線周波数帯信号（ここでは、７１５Ｍ〜７２５ＭＨｚの信号）を任意周波数（５ＭＨｚから２０ＭＨｚ）に低下させて物理層回路２１に出力する。変調回路１２は、物理層回路２１から入力した任意周波数（５ＭＨｚから２０ＭＨｚ）の信号を無線周波数（７１５Ｍ〜７２５ＭＨｚの信号）に上昇させてアンテナ７に出力する。
【００１９】
物理層回路２１は、典型的にはインタフェース回路である。本実施形態では、Ａ／Ｄコンバータ４１１，Ｄ／Ａコンバータ４１２が、物理層回路２１とＲＦ集積回路１との間に設けられているが、物理層回路２１に設けることができるし、ＲＦ集積回路１に設けることができる。物理層回路２１は、ＭＡＣ回路２２に接続されており、復調回路１１からの信号はＭＡＣ回路２２に渡され、ＭＡＣ回路２２からの信号は変調回路１２に渡される。アンテナ７は、スイッチ回路１３を介して、復調回路１１と変調回路１２とに接続される。スイッチ回路１３は、外部からの切替え信号ＳＣにより、アンテナ７を復調回路１１と変調回路１２の何れかに切り替えることができる。
【００２０】
なお、復調回路１１は、図２に示すように、中間周波数変換回路１１０１と、低周波数変換回路１１０２とから構成できる。中間周波数変換回路１１０１はスイッチ回路１３を介して入力した無線周波数信号を中間周波数に変換し、さらに低周波数変換回路１１０２により５〜２５ＭＨｚ程度の周波数に変換する。そして、これらの周波数信号うちの特定の周波数信号を、図１の物理層回路２１に出力する。また、図２に示すように、変調回路１２は、中間周波数変換回路１２０１と、さらに高周波数変換回路１２０２とから構成できる。物理層回路２１からの周波数信号のうちの特定の周波数信号を中間周波数変換回路１２０１により中間周波数に変換する。さらに、この中間周波数の信号を高周波数変換回路１２０２により無線周波数（７００ＭＨｚ帯）の信号に変調し、スイッチ回路１３を介して、アンテナ７に出力している。
【００２１】
図３に、本発明のＲＦ集積回路１の具体例を示す。復調時（受信時）にはスイッチ回路１３は、制御信号ＳＣにより実線で示す側にセットされる。復調回路１１は、ローノイズアンプ１１１と、受信信号レベル調整用アンプ１１２と、分波器１１３と、受信信号強度検出器１１４と、可変利得器１１５と、イメージ・リジェクション・ミキサ１１６と、電力増幅器１１７とを備えている。
【００２２】
アンテナ端子ＡＮＴからの周波数７００ＭＨｚ帯の信号は、ＢＰＦ（バンドパスフィルタ）１６およびローノイズアンプ１１１、受信信号レベル調整用アンプ１１２および可変利得器１１５を介してイメージ・リジェクション・ミキサ１１６に入力される。受信信号レベル調整用アンプ１１２の出力は、分波器１１３により分波され、受信信号強度検出器１１４を介して、ＲＳＳＩ端子からから外部の制御装置（図示しない）に出力される。この制御装置は、入力信号に基づき可変利得器１１５のゲイン調整信号を生成する。ＲＦ集積回路１はこのゲイン調整信号を受信レベル調整信号端子ＲＬＡから入力し、可変利得器１１５を動作させる。
【００２３】
イメージ・リジェクション・ミキサ１１６は可変利得器１１５の出力信号を入力し復調を行う。この復調信号は、電力増幅器１１７により増幅され、受信信号端子ＲＸから、Ａ／Ｄコンバータ４１１（図１参照）を介して物理層回路２１（図１参照）に送出される。
【００２４】
イメージ・リジェクション・ミキサ１１６は、図４（Ａ）に示すように分波器１１６１と、移相器１１６２と、ミキサ１１６３，１１６４と、合成器１１６５とからなる。分波器１１６１は、入力した信号を同相の二信号に分波してミキサ１１６３，１１６４に送出する。局部発振器１４からの信号は移相器１１６２に入力され、移相器１１６２は移相が９０°異なる二信号をミキサ１１６３，１１６４に出力する。ここでは、ミキサ１１６３は、分波器１１６１からの信号と、移相器１１６２からの９０°移相の信号とをミキシングして合成器１１６５に送る。ミキサ１１６４は、分波器１１６１からの信号と、移相器１１６２からの０°移相の信号とをミキシングして合成器１１６５に送る。合成器１１６５では、ミキサ１１６４からの信号を９０°移相させた信号と、ミキサ１１６４からの信号とを合成し、電力増幅器１１７に出力する。
【００２５】
変調時（送信時）にはスイッチ回路１３は、制御信号ＳＣにより点線で示す側にセットされる。変調回路１２は、バッファアンプ１２１と、イメージ・リジェクション・ミキサ１２２と、可変利得器１２３と、電力増幅器１２４と、分波器１２５と、送信信号強度検出器１２６とを備えている。
【００２６】
物理層回路２１（図１参照）からの周波数２０ＭＨｚの信号は、送信信号入力端子ＴＸから、ゲイン０ｄＢのバッファアンプ１２１を介してイメージ・リジェクション・ミキサ１２２に入力され、イメージ・リジェクション・ミキサ１２２において周波数変調された後、可変利得器１２３および電力増幅器１２４により増幅される。そして、スイッチ回路１３およびＢＰＦ（バンドパスフィルタ）１６を介してアンテナ端子ＡＮＴからアンテナ７（図１参照）に出力される。電力増幅器１２４の出力は、分波器１２５により分波され、送信信号強度検出器１２６を介して、ＴＳＳＩ端子からから外部の制御装置（図示しない）に出力される。この制御装置は、入力信号に基づき可変利得器１２３のゲイン調整信号を生成する。ＲＦ集積回路１はこのゲイン調整信号を送信レベル調整信号端子ＴＬＡから入力し、可変利得器１２３を動作させる。
【００２７】
イメージ・リジェクション・ミキサ１２２は、図４（Ｂ）に示すように分波器１２２１と、移相器１２２２と、ミキサ１２２３，１２２４と、合成器１２２５とからなる。分波器１２２１は、入力した信号を同相の二信号に分波してミキサ１２２３，１２２４に送出する。局部発振器１４からの信号は移相器１２２２に入力され、移相器１２２２は移相が９０°異なる二信号をミキサ１２２３，１２２４に出力する。ここでは、ミキサ１２２３は、分波器１２２１からの信号と、移相器１２２２からの９０°移相の信号とをミキシングして合成器１２２５に送る。ミキサ１２２４は、分波器１２２１からの信号と、移相器１２２２からの０°移相の信号とをミキシングして合成器１２２５に送る。合成器１２２５では、ミキサ１２２４からの信号を９０°移相させた信号と、ミキサ１２２４からの信号とを合成し、電力増幅器１２４に出力する。
【００２８】
図５は、本発明のＲＦ集積回路において、復調回路と変調回路とを一つの回路で共用する復変調回路を示す原理図である。ＲＦ集積回路１は、連動するスイッチ回路１３１，１３２，１３３，１３４と、復変調回路１５とを備えている。復変調回路１５はローノイズ増幅器Ａ１と、イメージ・リジェクション・ミキサＩＲＭと、局部発振器１４と、電力増幅器Ａ２とからなる。
【００２９】
復調時には、スイッチ回路１３１，１３２，１３３，１３４は、制御信号ＳＣによりそれぞれ実線で示す側にセットされ、アンテナ７（図１参照）により受信された周波数７００ＭＨｚ帯の信号は、アンテナ端子ＡＮＴからＲＦ集積回路１に入力される。すなわち、受信信号は、ＢＰＦ１６、スイッチ回路１３１、スイッチ回路１３２、ローノイズ増幅器Ａ１を介してイメージ・リジェクション・ミキサＩＲＭに入力される。イメージ・リジェクション・ミキサＩＲＭでは、入力信号を局部発振器１４からの局部発振信号ＬＯを用いて低周波数信号（５〜２５ＭＨｚ）に変換する。そして、この低周波数信号は、電力増幅器Ａ２、スイッチ回路１３３、スイッチ回路１３４を経由し、送信／受信信号入出力端子ＲＸ／ＴＸからＡ／Ｄコンバータ４１１（図１参照）を介して物理層回路２１（図１参照）に送出される。
【００３０】
変調時には、スイッチ回路１３１，１３２，１３３，１３４は、制御信号ＳＣによりそれぞれ点線で示す側にセットされ、物理層回路２１（図１参照）からＤ／Ａコンバータ４１２（図１参照）を経由した送信信号（５〜２５ＭＨｚ）は、送信／受信信号入出力端子ＲＸ／ＴＸからＲＦ集積回路１に入力される。すなわち、送信信号は、スイッチ回路１３４、スイッチ回路１３２、ローノイズ増幅器Ａ１を介してイメージ・リジェクション・ミキサＩＲＭに入力される。イメージ・リジェクション・ミキサＩＲＭでは、入力信号を局部発振器１４からの局部発振信号ＬＯを用いて高周波数信号（周波数７００ＭＨｚ帯の信号）に変換する。そして、この高周波数信号は、電力増幅器Ａ２、スイッチ回路１３３、スイッチ回路１３１、ＢＰＦ１６を経由して、アンテナ端子ＡＮＴからアンテナ７（図１参照）に送出される。
【００３１】
図６は、図５のＲＦ集積回路１をより詳細に示す説明図である。図６において、復変調回路１５は、ローノイズ増幅器１５１と、分波器１５２と、スイッチ回路１５３と、信号強度検出器１５４と、可変利得器１５５と、イメージ・リジェクション・ミキサ１５６と、可変利得器１５７と、電力増幅器１５８と、分波器１５９と、局部発振器１４とからなる。
【００３２】
図６の復変調回路１５では、復調時には、スイッチ回路１３１，１３２，１３３，１３４およびスイッチ回路１５３が、制御信号ＳＣによりそれぞれ実線で示す側にセットされ、アンテナ７（図１参照）により受信された周波数７００ＭＨｚ帯の信号は、アンテナ端子ＡＮＴからＲＦ集積回路１に入力される。すなわち、受信信号は、ＢＰＦ１６、スイッチ回路１３１、スイッチ回路１３２、ローノイズ増幅器１５１、分波器１５２、可変利得器１５５に入力される。分波器１５２により分波された信号はスイッチ回路１５３を介して信号強度検出器１５４に入力され、信号強度検出器１５４からの信号は、受信／送信信号強度信号出力端子ＲＳＳＩ／ＴＳＳＩから、図示しない制御装置に送出される。この制御装置では、受信レベル調整信号を生成する。この受信レベル調整信号は、受信レベル調整信号端子ＲＬＡから、可変利得器１５５の制御端子に入力され、可変利得器１５５の利得が調整される。
【００３３】
イメージ・リジェクション・ミキサ１５６では、可変利得器１５５からの信号を局部発振器１４からの局部発振信号ＬＯを用いて低周波数信号（５〜２５ＭＨｚ）に変換する。そして、この低周波数信号は、可変利得器１５７、電力増幅器１５８、分波器１５９、スイッチ回路１３３、スイッチ回路１３４を経由し、送信／受信信号入出力端子ＲＸ／ＴＸからＡ／Ｄコンバータ４１１（図１参照）を介して物理層回路２１（図１参照）に送出される。なお、本実施形態では、復調時には、可変利得器１５７の制御端子には、ゲインゼロ（０ｄｂ）の指示信号が入力される。
【００３４】
図６の復変調回路１５では、変調時には、スイッチ回路１３１，１３２，１３３，１３４およびスイッチ回路１５３が、制御信号ＳＣによりそれぞれ点線で示す側にセットされ、物理層回路２１（図１参照）からＤ／Ａコンバータ４１２（図１参照）を経由した送信信号（５〜２５ＭＨｚ）は、送信／受信信号入出力端子ＲＸ／ＴＸからＲＦ集積回路１に入力される。すなわち、受信信号は、スイッチ回路１３４、スイッチ回路１３２、ローノイズ増幅器１５１、分波器１５２、可変利得器１５５を介してイメージ・リジェクション・ミキサ１５６に入力される。なお、本実施形態では、変調時には、可変利得器１５５の制御端子には、ゲインゼロ（０ｄｂ）の指示信号が入力される。イメージ・リジェクション・ミキサ１５６では、入力信号を局部発振器１４からの局部発振信号ＬＯを用いて高周波数信号（周波数７００ＭＨｚ帯の信号）に変換する。そして、この高周波数信号は、可変利得器１５７、電力増幅器１５８、分波器１５９、スイッチ回路１３３に送出される。上記の分波器１５９により分波された信号はスイッチ回路１５３を介して信号強度検出器１５４に入力され、信号強度検出器１５４からの信号は、受信／送信信号強度信号出力端子ＲＳＳＩ／ＴＳＳＩから、図示しない制御装置に送出される。この制御装置では、送信レベル調整信号を生成する。この送信レベル調整信号は、送信レベル調整信号端子ＴＬＡから、可変利得器１５７の制御端子に入力され、可変利得器１５７の利得が調整される。そして、スイッチ回路１３３からの送信信号は、スイッチ回路１３１、ＢＰＦ１６を介してアンテナ端子ＡＮＴからアンテナ１７（図１参照）に送出される。
【符号の説明】
【００３５】
１  ＲＦ集積回路
２  回路
３  コンピュータ
５  周波数
７，１７  アンテナ
８，９  通信機器
１１  復調回路
１２  変調回路
１３，１３１，１３２，１３３，１３４  スイッチ回路
１４  局部発振器
１５  復変調回路
１６  ＢＰＦ
２１，８２，９２  物理層回路
２２，８３，９３  ＭＡＣ回路
８１，９１  ＲＦ回路
１１１  ローノイズアンプ
１１２  受信信号レベル調整用アンプ
１１３，１２５，１５２，１５９，１１６１，１２２１  分波器
１１４  受信信号強度検出器
１１５，１２３，１５５，１５７  可変利得器
１１６，１２２，１５６，ＩＲＭ  イメージ・リジェクション・ミキサ
１１７，１２４，１５８，Ａ２  電力増幅器
１２１  バッファアンプ
１２６  送信信号強度検出器
１５１，Ａ１  ローノイズ増幅器
１５４  信号強度検出器
４１１  Ａ／Ｄコンバータ
４１２  Ｄ／Ａコンバータ
１１０１，１２０１  中間周波数変換回路
１１０２  低周波数変換回路  
１１６２，１２２２  移相器
１１６３，１１６４，１２２３，１２２４  ミキサ
１１６５，１２２５  合成器
１２０２  高周波数変換回路
ＡＮＴアンテナ端子  
ＬＯ  局部発振信号
ＲＬＡ  受信レベル調整信号端子
ＲＸ  受信信号端子
ＳＣ  切替え信号
ＴＬＡ  送信レベル調整信号端子
ＴＸ  送信信号入力端子
【図１】
2012010049.tif 000003
【図２】
2012010049.tif 000004
【図３】
2012010049.tif 000005
【図４】
2012010049.tif 000006
【図５】
2012010049.tif 000007
【図６】
2012010049.tif 000008
【図７】
2012010049.tif 000009
【図８】
2012010049.tif 000010